(57)【要約】【課題】自己の力によって姿勢保持することが困難な被験者であっても、水平位から立位までのさまざまな傾斜位における体位や姿勢を安定して保持させることができ、しかも、胃や腸等の正確な像を得ることができる透視撮影台および体位保持具を提供する。【解決手段】人に所定の体位を保持させるための保持具であって、保持具が、人が載せられる天板５と、天板５が取り付けられた天板支持手段１０を備えており、天板５が、その幅方向と平行な軸周りに屈曲可能に設けられており、天板支持手段１０が、天板５を屈曲させた状態で保持する保持部を備えている。天板５を、その表面同士が接近するように屈曲させれば、天板５表面に対向する互いに傾斜した面を形成することができるから、自己の姿勢を保持することが困難な高齢者や障害者であっても、上体を起こした状態や座った状態等の腰を曲げた姿勢を保持できるし、その姿勢を長時間保持しておくことができる。【選択図】図１
2005176955.tif 000002
【特許請求の範囲】
【請求項１】
人に所定の体位を保持させるための保持具であって、
該保持具が、
人が載せられる天板と、
該天板が取り付けられた天板支持手段を備えており、
前記天板が、その幅方向と平行な軸周りに屈曲可能に設けられており、
前記天板支持手段が、前記天板を屈曲させた状態で保持する保持部を備えている
ことを特徴とする体位保持具。
【請求項２】
前記天板が、互いに屈曲可能に設けられた基部と、屈曲部とを備えており、
前記天板支持手段の保持部が、前記天板の屈曲部を、該天板支持手段のフレームに対して接近離間させる屈曲部移動部材を備えている
ことを特徴とする請求項１記載の体位保持具。
【請求項３】
前記屈曲部移動部材が、
該天板支持手段のフレームに対して前記天板の屈曲方向に沿って倒伏可能に設けられ、その上面に前記天板の屈曲部が載せられる揺動部材と、
該揺動部材を、前記天板支持手段のフレームに対して所定の角度で保持する角度保持部とを備えている
ことを特徴とする請求項２記載の体位保持具。
【請求項４】
前記天板の屈曲部が、
前記揺動部材に載せられた状態で移動する主屈曲部と、
該主屈曲部と前記基部との間に設けられ、前記主屈曲部が移動すると、前記主屈曲部と前記基部との間が連続するように、両者に対して屈曲する連結部とを備えている
ことを特徴とする請求項２記載の体位保持具。
【請求項５】
前記連結部が、
前記基部に対する屈曲角度が、０〜９０度となり、
前記主屈曲部に対する屈曲角度が、０〜９０度となるように構成されている
ことを特徴とする請求項４記載の体位保持具。
【請求項６】
前記天板の屈曲部が、
前記主屈曲部の先端に、該主屈曲部に対して屈曲可能に設けられた副屈曲部を備えており、
前記天板支持手段の保持部が、
前記揺動部材の先端に、該揺動部材に対して前記天板の副屈曲部の屈曲方向に沿って揺動可能に設けられ、その上面に前記天板の副屈曲部が載せられる副揺動部材と、
該副揺動部材を、前記揺動部材に対して所定の角度で保持する副揺動部材角度保持部とを備えている
ことを特徴とする請求項３記載の体位保持具。
【請求項７】
前記副屈曲部が、前記主屈曲部に対する屈曲角度が、０〜９０度となるように構成されている
ことを特徴とする請求項６記載の体位保持具。
【請求項８】
前記天板支持手段の保持部が、前記揺動部材と前記副揺動部材とを同時に作動させるリンク機構を備えている
ことを特徴とする請求項６記載の体位保持具。
【請求項９】
人を透視台に載せた状態で、人体を透視撮影する透視撮影装置における透視台に取り付けられる
ことを特徴とする請求項１記載の体位保持具。
【請求項１０】
人体を透視撮影する透視撮影装置の透視台において、該透視台と人の足との間に配置される体位保持具であって、
該体位保持具が、
前記透視台の天板の表面に取り付けられる取り付け面と、
該取り付け面を前記透視台の天板の表面に取り付けた状態において、該取り付け面に対して、人の足の付け根から足先に向って上傾する傾斜面とを備えている
ことを特徴とする体位保持具。
【請求項１１】
前記体位保持具が、前記傾斜面に対して屈曲した膝下保持部を備えており、
該膝下保持部が、
前記取り付け面に対してなす角度が、該取り付け面と前記傾斜面のなす角度以下となるように形成されている
ことを特徴とする請求項１０記載の体位保持具。
【請求項１２】
前記体位保持具が、
前記傾斜面が、前記取り付け面に対してなす角度が、０〜９０度であり、
前記膝下保持部が、前記取り付け面に対してなす角度が、０〜９０度となるように形成されている
ことを特徴とする請求項１１記載の体位保持具。
【請求項１３】
前記体位保持具が、前記取り付け面と前記傾斜面との間に、人の臀部と前記透視台の天板との間に挿入される腰部支持部を備えている
ことを特徴とする請求項１０記載の体位保持具。
【請求項１４】
前記体位保持具が、
前記腰部支持部の上面が、前記取り付け面に対してなす角度が、０〜９０度であり、
前記傾斜面が、前記取り付け面に対してなす角度が、０〜９０度となるように形成されている
ことを特徴とする請求項１３記載の体位保持具。
【請求項１５】
人を透視台に載せた状態で、人体を透視撮影する透視撮影装置において、
前記透視台が、
人が載せられる天板を備えた、請求項１、２、３、４、５、６、７、８および９記載の体位保持具と、
該体位保持具が取り付けられ、該体位保持具を前記天板の表面が水平面に対して傾斜するように移動させる倒伏機構とを備えている
ことを特徴とする透視撮影台。
【発明の詳細な説明】
【技術分野】
【０００１】
本発明は、Ｘ線等の放射線を利用する診断機器の透視撮影台および体位保持具に関する。胃腸等の消化管のＸ線撮影では、通常、透視撮影台の天板を水平にしたり傾斜させたり、あるいは被験者の体位を変えたりして撮影が行われる。かかる撮影において、被験者は、透視台に設けられている手すりやステップを利用して自己の姿勢を保持するが、高齢者や障害者は、その体位を保持することが困難な姿勢がある。
また、被験者の胃排出機能を検査する場合には、胃内の造影剤の量を径時的に撮影する間、被験者が同一の姿勢を保持しなければならないため、健常者であっても姿勢保持が大変である。そして、胃排出機能の検査を行なう被験者は、高齢者や腹部不定愁訴を持つ人である場合が多く、数分間も同一の姿勢を保持することは非常に困難である。
本発明は、高齢者や障害者であっても、Ｘ線透視装置における透視撮影台の天板上において、被験者が水平位から立位までのさまざまな傾斜位における体位や姿勢を容易に保持できる透視撮影台および体位保持具に関する。
【背景技術】
【０００２】
従来より、医療用透視撮影台を使用する際に、被験者の身体的負担や姿勢保持に要する力を軽減させる技術として、従来例１，２（特許文献１，２）に示す技術がある。
従来例１は、天板の表面に発泡樹脂層を設けた透視撮影台や、透視撮影台の天板に取り付けて使用する発泡樹脂層を有するシートに関する技術である。そして、従来例１の透視撮影台やシートを使用すれば、発泡樹脂層によって被験者と天板との間の摩擦を大きくすることができるから、透視撮影台の天板が傾斜しても、被験者が姿勢保持に要する力を軽減することができる。
また、従来例２は、椅子型で、昇降機能やリクライニング機能の付いた透視撮影台に関する技術である。従来例２の透視撮影台を使用すれば、被験者を腰掛けた状態やある程度上体を起こした姿勢に保持することができるから、既存の診断機器の透視撮影台を垂直に立てた状態にして、その透視撮影台の天板とＸ線等を放射する装置との間に被験者を載せた従来例２の透視撮影台を配置すれば、腰掛けた状態やある程度上体を起こした姿勢で撮影を行なうことができる。
【０００３】
しかるに、従来例１の技術は、被験者の姿勢保持を補助する力は摩擦力だけであるから、被験者の身体的負担を十分に軽減するものとは言えず、姿勢保持するために必要な力の大部分は被験者が負担しなければならない。すると、高齢者や障害者等のように自己の力によって姿勢保持することが困難な被験者の場合には、結局、被験者に所定の姿勢を保持させておくことは困難である。
また、従来例２の技術であれば、椅子部によって被験者の体を支持させることができるから、自己の力によって姿勢保持することが困難な被験者であっても、腰掛けた状態等の姿勢を保持させておくことはできる。しかし、腰掛けた状態では、大腿部と胃や腸が水平に並んでしまい、これらが重なったＸ線写真しか撮影することができない。すると、胃や腸の正確な像を得ることができないため、診断に不都合が生じるという問題がある。また、被験者がある程度上体を起こした姿勢で撮影する場合、側面から撮影するときには被験者に対して垂直にＸ線等を照射することはできるが、正面や背面から撮影するときは被験者に対してＸ線等が斜めから照射されることになり、胃や腸の正確な像を得ることができない。
【０００４】
【特許文献１】特開平１０−３３５２６号
【特許文献２】特開２０００−２０１９２４号
【発明の開示】
【発明が解決しようとする課題】
【０００５】
本発明は上記事情に鑑み、自己の力によって姿勢保持することが困難な被験者であっても、水平位から立位までのさまざまな傾斜位における体位を安定して保持させることができ、しかも、胃や腸等の正確な像を得ることができる透視撮影台および体位保持具を提供することを目的とする。
【課題を解決するための手段】
【０００６】
第１発明の体位保持具は、人に所定の体位を保持させるための保持具であって、該保持具が、人が載せられる天板と、該天板が取り付けられた天板支持手段を備えており、前記天板が、その幅方向と平行な軸周りに屈曲可能に設けられており、前記天板支持手段が、前記天板を屈曲させた状態で保持する保持部を備えていることを特徴とする。
第２発明の体位保持具は、第１発明において、前記天板が、互いに屈曲可能に設けられた基部と、屈曲部とを備えており、前記天板支持手段が、前記天板の屈曲部を、そのフレームに対して接近離間させる屈曲部移動部材を備えていることを特徴とする。
第３発明の体位保持具は、第２発明において、前記屈曲部移動部材が、該天板支持手段のフレームに対して前記天板の屈曲方向に沿って倒伏可能に設けられ、その上面に前記天板の屈曲部が載せられる揺動部材と、該揺動部材を、前記天板支持手段のフレームに対して所定の角度で保持する角度保持部とを備えていることを特徴とする。
第４発明の体位保持具は、第２発明において、前記天板の屈曲部が、前記揺動部材に載せられた状態で移動する主屈曲部と、該主屈曲部と前記基部との間に設けられ、前記主屈曲部が移動すると、前記主屈曲部と前記基部との間が連続するように、両者に対して屈曲する連結部とを備えていることを特徴とする。
第５発明の体位保持具は、第４発明において、前記連結部が、前記基部に対する屈曲角度が、０〜９０度となり、前記主屈曲部に対する屈曲角度が、０〜９０度となるように構成されていることを特徴とする。
第６発明の体位保持具は、第３発明において、前記天板の屈曲部が、前記主屈曲部の先端に、該主屈曲部に対して屈曲可能に設けられた副屈曲部を備えており、前記天板支持手段の保持部が、前記揺動部材の先端に取り付けられ、該揺動部材に対して前記天板の副屈曲部の屈曲方向に沿って揺動可能に設けられ、その上面に前記天板の副屈曲部が載せられる副揺動部材と、該副揺動部材を、前記揺動部材に対して所定の角度で保持する副揺動部材角度保持部とを備えていることを特徴とする。
第７発明の体位保持具は、第６発明において、前記副屈曲部が、前記屈曲部に対する屈曲角度が、０〜９０度となるように構成されていることを特徴とする。
第８発明の体位保持具は、第６発明において、前記天板支持手段の保持部が、前記揺動部材と前記副揺動部材とを同時に作動させるリンク機構を備えていることを特徴とする。
第９発明の体位保持具は、第１発明において、人を透視台に載せた状態で、人体を透視撮影する透視撮影装置における透視台に取り付けられることを特徴とする。
第１０発明の体位保持具は、人体を透視撮影する透視撮影装置の透視台において、該透視台と人の足との間に配置される体位保持具であって、該体位保持具が、前記透視台の天板の表面に取り付けられる取り付け面と、該取り付け面を前記透視台の天板の表面に取り付けた状態において、該取り付け面に対して、人の足の付け根から足先に向って上傾する傾斜面とを備えていることを特徴とする。
第１１発明の体位保持具は、第１０発明において、前記体位保持具が、前記傾斜面に対して屈曲した膝下保持部を備えており、該膝下保持部が、前記取り付け面に対してなす角度が、該取り付け面と前記傾斜面のなす角度以下となるように形成されていることを特徴とする。
第１２発明の体位保持具は、第１１発明において、前記体位保持具が、前記傾斜面が、前記取り付け面に対してなす角度が、０〜９０度であり、前記膝下保持部が、前記取り付け面に対してなす角度が、０〜９０度となるように形成されていることを特徴とする。
第１３発明の体位保持具は、第１０発明において、前記体位保持具が、前記取り付け面と前記傾斜面との間に、人の臀部と前記透視台の天板との間に挿入される腰部支持部を備えていることを特徴とする。
第１４発明の体位保持具は、第１３発明において、前記体位保持具が、前記腰部支持部の上面が、前記取り付け面に対してなす角度が、０〜９０度であり、前記傾斜面が、前記取り付け面に対してなす角度が、０〜９０度となるように形成されていることを特徴とする。
第１５発明の透視撮影台は、人を透視台に載せた状態で、人体を透視撮影する透視撮影装置において、前記透視台が、人が載せられる天板を備えた、請求項１、２、３、４、５、６、７、８および９記載の体位保持具と、該体位保持具が取り付けられ、該体位保持具を前記天板の表面が水平面に対して傾斜するように移動させる倒伏機構とを備えていることを特徴とする。
【発明の効果】
【０００７】
第１発明によれば、天板を、その表面同士が接近するように屈曲させれば、天板表面に対向する互いに傾斜した面を形成することができる。すると、人を、その背が対向する面の一方の面に当たり、かつ屈曲している部分に臀部が位置するように天板上に載せれば、人の背中および人の大腿部を天板によって支持させることができる。すると、人の上半身、下半身の両方が天板によって支持されるから、人が自己の力で体を支えなくても上体を起こした状態や座った状態で保持することができる。よって、自己の姿勢を保持することが困難な高齢者や障害者であっても、上体を起こした状態や座った状態等の腰を曲げた姿勢を保持できるし、その姿勢を長時間保持しておくことができる。
第２発明によれば、屈曲部移動部材によって屈曲部をフレームに対して接近離間させれば、基部に対して屈曲部が屈曲するから、天板表面に対向する互いに傾斜した面を形成することができる。すると、人を、その背が基部の表面に当たり、かつ基部と屈曲部との間に臀部が位置するように天板上に載せれば、人の背中および人の大腿部を天板によって支持させることができる。すると、人の上半身、下半身の両方が天板によって支持されるから、人が自己の力で体を支えなくても上体を起こした状態や座った状態で保持することができる。よって、自己の姿勢を保持することが困難な高齢者や障害者であっても、上体を起こした状態や座った状態等の腰を曲げた姿勢を保持できるし、その姿勢を長時間保持しておくことができる。
第３発明によれば、揺動部材を倒伏させれば、屈曲部をフレームに対して接近離間させることができるから、基部に対して屈曲部を屈曲させることができる。しかも、フレームに対して所望の角度で揺動部材を固定すれば、基部に対して屈曲部を所望の角度に保持することができるので、所望の角度だけ腰を曲げた状態で保持させることができる。
第４発明によれば、主屈曲部に大腿部を当てたときに、連結部によって腰部を支持させることができるから、屈曲部によって人の腰より下の部分全体を支持することができる。よって、腰を曲げた姿勢をより楽に保つことができる。
第５発明によれば、人が腰を曲げたときに、基部と連結部がなす角度を背中と腰部がなす角度に一致させることができ、かつ連結部と主屈曲部がなす角度を腰部と大腿部がなす角度に一致させることができる。よって、腰を曲げた状態としても、連結部を腰部に密着させることができるから、腰を曲げた姿勢をより楽に保つことができる。
第６発明によれば、副揺動部材を揺動部材に対して揺動させ、副揺動部材角度保持部によって所定の角度で保持すれば、ひざを曲げた姿勢、つまり、椅子に座っているような姿勢を保持させることができ、かつ副屈曲部によってひざより下の部分を支持させることができるから、腰を曲げた姿勢を、より楽に保持することができる。
第７発明によれば、膝の曲げ角度を、腰の曲げ角度に対して最適な角度に保持することができるから、より一層楽な姿勢で腰を曲げた姿勢を保つことができる。
第８発明によれば、揺動部材を倒伏させるだけで、リンク機構によって副揺動部材も揺動部材に対して揺動させることができる。すると、揺動部材の倒伏角度、つまり腰の曲げ角度に対して最適なひざの曲げ角度となるように副揺動部材が揺動するように調整しておけば、揺動部材や副揺動部材の角度調整を容易にすることができる。
第９発明によれば、人の腰より下の部分に位置する天板を屈曲させれば、天板上に載せられた人が足を曲げても天板の屈曲された部分が人の尻や大腿部の裏面に当たるようにすることができる。そして、その状態で保持部によって天板を保持すれば、透視台を人の頭が足より上方に位置するように水平に対して傾斜させても、天板の屈曲された部分によって人の尻や大腿部が支持されるから、自己の姿勢を保持することが困難な高齢者や障害者であっても、上体を起こした状態や座った状態等の腰を曲げた姿勢を保持させることができる。そして、姿勢は天板によって保持され、自己の力で姿勢を保持しなくてよいので、長時間であっても同じ姿勢を保つことができる。そして、足を曲げる角度を調整すれば、太ももと胃や腸が重ならないので、胃や腸の正確な透視像を得ることができる。また、屈曲していない部分の天板は、その表面を水平に対して傾斜させても常にＸ線等を照射する装置と正対するから、Ｘ線等を常に被験者に対して垂直に照射することができ、胃や腸の正確な透視像を得ることができる。
第１０発明によれば、体位保持具を天板に取り付けて、その傾斜面に尻や大腿部の裏面が当たるように天板に人を載せれば、透視台を人の頭が足より上方に位置するように水平に対して傾斜させても、体位保持具の傾斜面によって人の尻や大腿部が支持されるから、自己の姿勢を保持することが困難な高齢者や障害者であっても、上体を起こした状態や座った状態等の腰を曲げた姿勢を保持させることができる。そして、姿勢は体位保持具によって保持され、自己の力で姿勢を保持しなくてよいので、長時間であっても同じ姿勢を保つことができる。そして、傾斜面の取り付け面に対する角度を太ももと胃や腸が重ならない角度とすれば、胃や腸の正確な透視像を得ることができる。また、体位保持具を取り付けていない部分の天板は、その表面を水平に対して傾斜させても常にＸ線等を照射する装置と正対するから、被験者もＸ線等を照射する装置と正対する。よって、Ｘ線等を常に被験者に対して垂直に照射することができ、胃や腸の正確な透視像を得ることができる。
第１１発明によれば、天板に載せられた人の姿勢を、ひざを曲げた姿勢、つまり、椅子に座っているような姿勢を保持させることができ、かつ膝下保持部によってひざより下の部分を支持させることができるから、腰を曲げた姿勢を、より楽に保持することができる。
第１２発明によれば、膝の曲げ角度を、腰の曲げ角度に対して最適な角度に保持することができるから、より一層楽な姿勢で腰を曲げた姿勢を保つことができる。
第１３発明によれば、体位保持具の傾斜面に尻や大腿部の裏面が当たるように天板に人を載せたときに、腰と天板との間に形成される隙間を腰部支持部によって支持させることができる。つまり、人の腰より下の部分全体を体位保持具に支持させることができるから、腰を曲げた姿勢をより楽に保つことができる。
第１４発明によれば、人が腰を曲げたときに、天板と腰部支持部の上面がなす角度を背中と腰部がなす角度に一致させることができ、かつ腰部支持部の上面と傾斜部がなす角度を腰部と大腿部がなす角度に一致させることができる。よって、腰を曲げた状態としても、腰部支持部を腰および臀部に密着させることができるから、腰を曲げた姿勢をより楽に保つことができる。
第１５発明によれば、人の腰より下の部分に位置する天板を屈曲させれば、天板上に載せられた人が足を曲げても天板の屈曲された部分が人の尻や大腿部の裏面に当たるようにすることができる。そして、その状態で保持部によって天板を保持すれば、倒伏機構によって透視台を人の頭が足より上方に位置するように水平に対して傾斜させても、天板の屈曲された部分によって人の尻や大腿部が支持されるから、自己の姿勢を保持することが困難な高齢者や障害者であっても、上体を起こした状態や座った状態等の腰を曲げた姿勢を保持させることができる。そして、姿勢は天板によって保持され、自己の力で姿勢を保持しなくてよいので、長時間であっても同じ姿勢を保つことができる。そして、足を曲げる角度を調整すれば、太ももと胃や腸が重ならないので、胃や腸の正確な透視像を得ることができる。また、屈曲していない部分の天板は、その表面を水平に対して傾斜させても常にＸ線等を照射する装置と正対するから、Ｘ線等を常に被験者に対して垂直に照射することができ、胃や腸の正確な透視像を得ることができる。
【発明を実施するための最良の形態】
【０００８】
つぎに、本発明の実施形態を図面に基づき説明する。
本実施形態の体位保持具は、人に所定の体位を保持させることができる保持具であり、人が自己の力を使わなくても腰を曲げた状態で姿勢を保持できることに特徴を有するものである。
なお、本実施形態の体位保持具はＸ線等を利用した透視撮影装置の透視台や手術台、診察台、処置台等に取り付けて使用するものであるが、人が腰を曲げた状態で姿勢を保持しなければならない場所であれば、どのような場所にも適用可能である。
以下には、代表としてＸ線等を利用した透視撮影装置の透視台に取り付けて使用した場合を説明する。
【０００９】
まず、第１実施形態の体位保持具１を説明する前に、体位保持具１が適用される透視撮影装置を簡単に説明する。
図１は（Ａ）第１実施形態の体位保持具１Ａの単体側面図であり、（Ｂ）第１実施形態の体位保持具１Ａを傾斜させた透視台Ｂに取り付けた状態の説明図である。同図（Ｂ）において、符号ＢはＸ線等を利用した透視撮影装置の透視台（以下、単に透視台という）を示しており、符号Ｓは透視台Ｂに向けてＸ線等を照射する照射部を示している。透視台Ｂは、その天板Ｂ１を水平に対して傾斜させる図示しない公知の倒伏機構を備えている。そして、透視撮影装置は、この倒伏機構によって透視台Ｂの天板Ｂ１を移動させると、照射部Ｓが、天板Ｂ１の表面に対して垂直にＸ線等を照射することができる位置に移動するように構成させている。なお、図１において符号Ｂ２は、天板Ｂ１上に人を乗せたときに、人が足を載せるための踏み板を示している。
【００１０】
さて、第一実施形態の体位保持具について説明する。
図１に示すように、第一実施形態の体位保持具１Ａは、断面が略四角形状をした箱形の部材である。この体位保持具１Ａは、その底面１ａおよび、この底面１ａの後端と連続し、かつ底面１ａと直交する背面１ｅを備えており、両面がいずれも平坦面に形成されている。
この背面１ｅの上端と底面１ａの先端との間には、底面１ａの先端から背面１ｅの上端に向って上傾する傾斜面１ｃが形成されている。この前記傾斜面１ｃは、前記底面１ａに対する傾斜角度Ｂが０〜９０度となるように形成されており、また、傾斜面１ｃの先端から後端までの長さＬ１（以下、傾斜面長さＬ１という）が２０〜４５ｃｍとなるように形成されている。
そして、傾斜面１ｃの後端と前記背面１ｅの上端との間には、両者の間を連続する膝下保持部１ｄが設けられている。この膝下保持部１ｄは、前記底面１ａに対する傾斜角度Ｃが、０〜９０度であって、傾斜角度Ｃの大きさが、前記傾斜角度Ｂと同じ、または傾斜角度Ｂよりも小さくなるように、つまり、Ｃ≦Ｂとなるように形成されている。
【００１１】
このため、図１（Ｂ）および図２（Ａ）に示すように、体位保持具１Ａを、その底面１ａが天板Ｂ１の表面に接触し、背面１ｅが踏み板Ｂ２の表面に接触するように天板Ｂ１に取り付け、人をその傾斜面１ｃの上面に尻や大腿部の裏面が当たるように天板Ｂ１上に載せれば、天板Ｂ１上において、人に腰を曲げた状態を取らせることができる。この状態で、透視台Ｂを、人の頭が足より上方に位置するように水平に対して傾斜させると、体位保持具１Ａの傾斜面１ｃによって人の尻や大腿部が支持される。しかも、傾斜面長さＬ１が２０〜４５ｃｍとなるように形成されているから、人の膝の部分が傾斜面１ｃと膝下保持部１ｄとの接続部分に配置されるので、膝を曲げた状態で膝から下の部分を膝下保持部１ｄによって支持させることができる。つまり、透視台Ｂを傾斜させたときに、人が体位保持具１Ａに座った状態となるから、人が自己の力で姿勢を保持しなくても、透視台Ｂ上に体を載せておくことができ、透視台１Ｂから人がズリ落ちたりすることを防ぐことができる。
よって、自己の姿勢を保持することが困難な高齢者や障害者であっても、透視台Ｂを傾斜させときに体位を保持させることができるから、高齢者や障害者に透視台Ｂを傾斜させて行なう検査を受けさせることができる。
【００１２】
また、透視台Ｂを傾斜させたときであっても、被験者の体位は、体位保持具１Ａによって保持されているから、長時間であっても同じ姿勢を保つことができる。このため、胃内の造影剤の量を径時的に撮影する胃の排出機能検査のように、検査している間、被験者が同一の姿勢を保持しなければならない検査であっても、被験者の負担を軽減することができる。そして、本来、胃の排出機能検査の必要性が高い高齢者や障害者に楽に検査を受けさせることができるし、これまで胃の排出機能検査を受けることができなかった患者などであっても、検査を受けることが可能となる。
【００１３】
さらに、体位保持具１Ａを取り付けていない部分の天板Ｂ１は、その表面を水平面に対して傾斜させても常に照射部Ｓと正対させることができるから、被験者を照射部Ｓと正対させることができ、Ｘ線等を常に被験者に対して垂直に照射することができる。しかも、体位保持具１Ａの傾斜面１ｃが底面１ａに対してなす傾斜角度Ｂ、言い換えれば、傾斜面１ｃが天板Ｂ１に対してなす傾斜角度Ｂが０〜９０度であり、人が体位保持具１Ａに座った状態となっても、照射部Ｓから見て、太ももが胃や腸と重なることを防ぐことができるから、胃や腸の正確な透視像を得ることができる。
そして、膝下保持部１ｄが、底面１ａに対する傾斜角度Ｃが、０〜９０度であって、かつ前記傾斜角度Ｂと同じ、または傾斜角度Ｂよりも小さくなるように形成されているから、腰を曲げたときに大腿部や腰等への負担が軽減する角度で膝から下の部分を支持することができる。つまり、膝の曲げ角度を、腰の曲げ角度に対して最適な角度に保持することができるから、より一層楽な姿勢で腰を曲げた姿勢を保つことができる。
【００１４】
とくに、体位保持具１Ａとして、傾斜面１ｃが底面１ａに対してなす傾斜角度Ｂが、天板Ｂ１が水平面に対してなす角度Ｑの1.5 倍〜２倍となるような体位保持具１Ａを使用すれば、被験者に最も楽に腰を曲げた体位を保持させることができる。例えば、胃排出機能検査等の消化管機能の検査であれば、角度Ｑを３０〜６０度として検査することが効果的であるから、傾斜角度Ｂが４５〜９０度の体位保持具１Ａを使用するのが好適である。
【００１５】
なお、体位保持具１Ａの上部、つまり傾斜面１ｃおよび膝下保持部１ｄを形成する部分を、収縮性を有する柔らかい材料、例えばウレタンやポリスチレンビーズ、ポリエステル繊維、ラテックスゴム、樹脂製のエアーマット等によって形成すれば、体位保持具１Ａを体に腰や足に密着させることができるので、体位を安定して保持させることができるし、腰や足に加わる圧力を体位保持具１Ａが吸収するから、腰や足に加わる負担を軽減させることができる。そして、体位保持具１Ａの上部を収縮性を有する柔らかい材料で形成しておけば、人の膝の位置が、傾斜面１ｃと膝下保持部１ｄとの接続部分からズレても、そのズレを体位保持具１Ａの上部が変形して吸収することができるから、体位保持具１Ａを様々な体型の人に使用することができ、体位保持具１Ａの汎用性を高めることができる。
さらになお、傾斜面長さＬ１の長さは、上記の範囲に限られず、人の膝の部分が傾斜面１ｃと膝下保持部１ｄとの接続部分に配置される長さであればよく、とくに限定はない。
【００１６】
また、図１に示すように、体位保持具１Ａは、前記傾斜面１ｃの先端と前記底面１ａとの間に、前記底面１ａから傾斜面１ｃに向かって上傾する上面を有する腰部支持部１ｂを備えている。この腰部支持部１ｂは、その上面が、前記底面１ａから傾斜面１ｃに向って上傾しており、底面１ａに対する傾斜角度Ａが０〜９０度であって、前記傾斜角度Ｂと同じ、または傾斜角度Ｂよりも小さくなるように、つまり、Ａ≦Ｂとなるように形成されている。
このため、天板Ｂ１上において、人に腰を曲げた状態を取らせた場合、腰と天板Ｂ１の上面との間には隙間が形成されるが、腰部支持部１ｂを設けておけば、その隙間に腰部支持部１ｂを配置することができる。すると、腰部支持部１ｂによって腰と天板Ｂ１の上面との間の隙間を埋めることができ、かつ腰を支持させることができる。
しかも、底面１ａに対する傾斜角度Ａが０〜９０度であって、前記傾斜角度Ｂと同じ、または傾斜角度Ｂよりも小さくなるように形成されているから、人が腰を曲げたときに、天板Ｂ１と腰部支持部１ｂの上面がなす角度を背中と腰部がなす角度に一致させることができ、かつ腰部支持部１ｂの上面と傾斜部１ｃがなす角度を腰部と大腿部がなす角度に一致させることができる。すると、腰を曲げた状態としても、腰部支持部１ｂおよび傾斜部１ｃが腰、臀部、大腿部に密着した状態でになるから、体位保持具１Ａによって、人の腰より下の部分全体を、天板Ｂ１の上面との間には隙間ができないように、支持させることができ、腰を曲げた姿勢をより楽に保つことができる。
とくに、傾斜角度Ａの大きさが、傾斜角度Ｂの１／２〜１／１．５となるように形成しておけば、腰に対して腰部支持部１ｂに加わる反力を最適にすることができるから、人に非常に楽に姿勢を維持させることができる。
【００１７】
なお、体位保持具１Ａは、前記腰部支持部１ｂ、膝下保持部１ｄは設けなくてもよいが、これらを備えておけば上記のごとき効果が得られるので、好適である。
【００１８】
また、上記のごとき体位保持具１Ａを透視台Ｂに取り付けたときには、前記通常の透視台Ｂに設けられている手すりに代えて、図２（Ｂ）に示すような形状の手すり２０を透視台Ｂに取り付ければ、好適である。
この手すり２０は、その外枠が、側面視で体位保持具１Ａの外形と略相似形となるように形成されたものである。つまり、前枠２１が、天板Ｂ１に対して前記傾斜角度Ｂと同じ角度となるように形成されており、その上枠２２が、天板Ｂ１に対して前記傾斜角度Ｃと同じ角度となるように形成されている。しかも、手すり２０は、上枠２２の後端は体位保持具１Ａの傾斜面１ｃと膝下保持部１ｄとの接続部分よりも後方かつ上方に位置するように形成されている。
このため、体位保持具１Ａの上面に人が足を載せても、その足の膝より上の部分の側方には手すり２０が配置されるから、人が動いても、天板Ｂ１上の人が手すり２０を越えて落下することを防ぐことができる。
なお、手すり２０の形状は上記の形状に限られず、体位保持具１Ａの上面に人が足を載せたときに、その足の膝より上の部分の側方には必ず外枠が配置されるような形状であればよく、とくに限定はない。
【００１９】
つぎに、第２実施形態の体位保持具１Ｂを説明する。
図３は第２実施形態の体位保持具１Ｂを取り付けた状態における透視撮影装置の概略説明図であって、（Ａ）は透視台Ｂを傾斜させた状態の説明図であり、（Ｂ）は透視台Ｂを水平にした状態の説明図である。
図３に示すように、前記透視台Ｂの天板Ｂ１の上面には、第２実施形態の体位保持具１Ｂのフレーム２が取り付けられている。フレーム２の透視台Ｂへの固定方法は、人が足を載せる踏み板Ｂ２や天板Ｂ１にボルト等によって固定する方法等があるが、特に限定はない。なお、フレーム２はＸ線等を透過する材料、例えばウレタン樹脂、アクリル樹脂、エポキシ樹脂、炭素繊維強化樹脂等によって形成されているのはいうまでもない。
【００２０】
前記フレーム２の上面には、天板５が取り付けられている。この天板５は、フレーム２に固定された基部６と、基部６に対して屈曲可能に設けられた屈曲部７を備えているが、天板５の構造の詳細は後述する。この天板５は、天板Ｂ１と実質同一の素材で形成されたものであり、体位保持具１Ｂを透視台Ｂに取り付けた状態において、天板５を伸ばした状態、つまり基部６に対して屈曲部７を屈曲させていない状態では、その表面が透視台の天板Ｂ１の表面と平行となるように配設されている。
このため、図３（Ｂ）に示すように、天板５を伸ばした状態において、人を天板５の上面に載せれば、天板５上において、人が体を伸ばした姿勢を取ることができる。よって、照射部Ｓから天板５に対して垂直にＸ線等を照射すれば、Ｘ線等を人体に垂直に照射させることができるから、胃や腸の正確な像を得ることができる。
【００２１】
天板５の構造について、詳しく説明すると、図３（Ａ）に示すように、天板５は、フレーム２の前部（図３では左側）に固定された基部６と、フレーム２の後部において、フレーム２に対して接近離間可能に設けられた屈曲部７とから構成されている。
基部６は、天板５に人を載せたときに、腰から上の部分が載せられる部分である。
一方、屈曲部７は、天板５に人を載せたときに、腰から下の部分が載せられる部分である。この屈曲部７は、その前端が基部６の後端に、その幅方向（図３では紙面と垂直な方向）と平行な軸周りに屈曲可能に設けられており、屈曲部７をフレーム２に最も接近させると、その表面と基部６の表面が同一平面上に位置するように配設されている（図３（Ｂ）参照）。
そして、屈曲部７の下面とフレーム２との間には、屈曲部７をフレーム２に対して接近離間させ、かつ屈曲部７をフレーム２に対して離間した状態で保持することができる天板支持手段１０が設けられている。
【００２２】
このため、図３（Ａ）に示すように、天板支持手段１０によって天板５の屈曲部７を、その表面が基部６の表面に接近するように、言い換えれば、フレーム２から離間するように基部６に対して屈曲させれば、屈曲部７の表面を基部６に対して傾斜した面とすることができる。この状態で、人を、その背が基部６の表面に当たり、かつその臀部が基部６と屈曲部７の間の屈曲している部分に位置するように天板５上に載せれば、人の背中を基部６で支持させることができ、人の大腿部を屈曲部７によって支持させることができる。つまり、透視台Ｂを傾斜させたときに、人が屈曲部７に座ったような状態となるから、人が自己の力で姿勢を保持しなくても、透視台Ｂ上に体を載せておくことができ、透視台Ｂから人がズリ落ちたりすることを防ぐことができる。よって、自己の姿勢を保持することが困難な高齢者や障害者であっても、透視台Ｂを傾斜させときに体位を保持させることができるから、高齢者や障害者に透視台Ｂを傾斜させて行なう検査を受けさせることができる。
【００２３】
また、透視台Ｂを傾斜させたときであっても、被験者の体位は、天板５の基部６と屈曲部７によって保持されているから、長時間であっても同じ姿勢を保つことができる。このため、胃内のＸ線造影剤を経時的にＸ線撮影する胃排出機能検査のように数分間から数時間、同一の姿勢を保持しなければならない検査であっても、被験者の負担を軽減することができる。そして、本来、胃の排出機能検査の必要性が高い高齢者や障害者に楽に検査を受けさせることができるし、これまで胃の排出機能検査を受けることができなかった患者などであっても、検査を受けることが可能となる。
【００２４】
つぎに、天板５の屈曲部７と天板支持手段１０を詳細に説明する。
まず、天板５の屈曲部７を説明する。
図４は天板５の屈曲部７を屈曲させた状態の説明図である。図３および図４において、符号７ａは、前記屈曲部７の主屈曲部を示している。この主屈曲部７ａは、天板５を伸ばした状態において、天板５上に人を載せたときに、人の大腿部が載せられる部分である。この主屈曲部７ａと、前記基部６との間には連結部７ｂが設けられている。この連結部７ｂは、その前端が、基部６に対してその幅方向（図３および図４では紙面と垂直な方向）と平行な軸周りに屈曲可能に連結されており、その後端が、主屈曲部７ａの先端に、主屈曲部７ａに対してその幅方向（図３および図４では紙面と垂直な方向）と平行な軸周りに屈曲可能に連結されている。そして、主屈曲部７ａは、その長さＬ２が２０〜４５ｃｍとなるように形成されており、連結部７ｂはその長さＬ３が０〜２０ｃｍとなるように形成されている（図４）。
また、主屈曲部７ａの後端には、副屈曲部７ｃが接続されている。この副屈曲部７ｃは、その先端が主屈曲部７ａの後端に、主屈曲部７ａに対してその幅方向（図３および図４では紙面と垂直な方向）と平行な軸周りに屈曲可能に連結されている。
【００２５】
つぎに、天板支持手段１０を説明する。
図３に示すように、フレーム２と屈曲部７との間において、前記屈曲部７の主屈曲部７ａおよび連結部７ｂの下方には、天板支持手段１０の揺動部材１１が設けられている。この揺動部材１１は、棒状の部材であって、その基端（図３では左端）がフレーム２に軸着されており、その先端を支点としてフレーム２に対して、鉛直面内、つまり屈曲部７の屈曲方向に沿って倒伏可能に設けられている。この揺動部材１１の基端と先端との間には、駆動軸１２の先端が軸着されている。この駆動軸１２の後端には、ナット部材12a が取り付けられており、このナット部材12aは、フレーム２と屈曲部７との間に、天板５の軸方向（図３では左右方向）と平行に配設されたネジ軸13a に螺合している。しかも、駆動軸１２はナット部材12a をネジ軸13ａに沿って移動せても、その後端が、常に、その先端よりも後方に位置するように配設されている。そして、ネジ軸13ａの後端には、モータ13bの主軸が取り付けられている。
【００２６】
このため、モータ13bを駆動して、ネジ軸13a を回転させれば、ナット部材12a がネジ軸13a に沿って移動するため、駆動軸１２は、ネジ軸13a の軸方向、つまり天板５の軸方向に移動される。すると、駆動軸１２の一端によって揺動部材１１が天板５の軸方向に押されるから、揺動部材１１は、その基端を支点として倒伏されるのである。
揺動部材１１が倒伏すると、揺動部材１１の上面に載せられている屈曲部７の主屈曲部７ａは、揺動部材１１によって上下に移動されてフレーム２に対して接近離間し、かつフレーム２に対して揺動部材１１と同じ傾斜角度となるように移動する。言い換えれば、主屈曲部７ａはその上面が基部６の上面に対してなす傾斜角度Ｂが、揺動部材１１がフレーム２に対してなす角度と同じ角度となるように移動するのである。このとき、連結部７ｂもフレーム２に対して接近離間し、基部６と主屈曲部７ａが連続性を保つように、基部６に対して屈曲し、主屈曲部７ａは連結部７ｂに対して屈曲するのである。
【００２７】
また、図３に示すように、前記副屈曲部７ｃとフレーム２との間には、副揺動部材１５が設けられている。この副揺動部材１５は、その基端が前記揺動部材１１の先端に軸着されている。つまり、副揺動部材１５は、その基端を支点として揺動部材１１に対して揺動部材１１と同一面内で揺動可能に取付けられている。
この副揺動部材１５の先端部には、その軸方向に沿って伸びた長孔15h が形成されている。この長孔15h には、リンク１４の先端部に設けられているピン14aが、長孔15h 内をその軸方向に沿って摺動可能に取り付けられている。このリンク１４の基端は、フレーム２に対して副揺動部材１５の揺動方向、つまり、揺動部材１１の揺動方向に沿って揺動可能に取付けられている。そして、リンク１４は、その長さが揺動部材１１と副揺動部材１５の長さをあわせた長さより短くなるように調整されており、そして、その基端が、揺動部財１１の基端よりも後方に配置されている。
【００２８】
このため、揺動部材１１が倒伏すると、その先端が前後に揺動するため、副揺動部材１５も前後に移動される。副揺動部材１５の長孔15h 内には、リンク１４の先端部に設けられているピン14a が取り付けられているから、リンク１４は、その先端が副揺動部材１５の先端とともに前後に移動され、その基端を支点として揺動される。このリンク１４は、その長さが揺動部材１１と副揺動部材１５の長さを合わせた長さよりも短くなるように調整されているので、副揺動部材１５の先端は、前方に揺動したときにリンク１４によって下方に引っ張られることになり、揺動部材１１に対して下方に揺動する。つまり、揺動部材１１を倒伏させるだけで、リンク１４によって副揺動部材１５も揺動部材１１に対して揺動させることができる。
そして、副揺動部材１５が揺動部材１１に対して揺動しながら前後に移動すると、副揺動部材１５の上方に位置する屈曲部７の副屈曲部７ｃは、副揺動部材１５とともに移動し、基部６に対して副揺動部材１５がなす角度、言い換えれば、副揺動部材１５がフレーム２に対してなす角度と同じ角度に屈曲する。言い換えれば、副屈曲部７ｃは、その上面が基部６の上面に対してなす傾斜角度Ｃが、副揺動部材１５がフレーム２に対してなす角度と同じ角度となるように移動するのである。
【００２９】
上記のごとき構造を有するから、天板支持手段１０によって屈曲部７を基部６に対して屈曲させることができ、しかも、透視台Ｂが傾斜したときに、天板５上に載せられている被験者を、屈曲部７によって、椅子に座ったような状態で支持することができるのである。
上記のモータ13b 、ナット部材12a 、ネジ軸13a 、駆動軸１２が特許請求の範囲にいう屈曲部移動部材であり、かつ特許請求の範囲にいう角度保持部の機能も兼ね備えている。
上記のリンク１４、ピン14aが特許請求の範囲にいうリンク機構であり、かつ特許請求の範囲にいう副揺動部材角度保持部の機能も兼ね備えている。
【００３０】
なお、ネジ軸13aを回転させる方法はモータ13bに限られず、手動で回転させてもよいし、特に限定はないが、モータ等の遠隔操作可能な動力源を使用すれば、力の弱い人や女性でも楽に操作ができる。
さらになお、主屈曲部７ａは揺動部材１１に固定されていてもよいし、単に揺動部材１１に載せられていてもよく、特に限定はない。
さらになお、屈曲部移動部材は上記の構造に限られず、揺動部材１１を倒伏させることができるものであれば特に限定はない。例えば、フレーム２と揺動部材１１の間にシリンダを設け、シリンダの伸縮によって揺動部材１１を倒伏させるようにしてもよい。
さらになお、屈曲部移動部材が角度保持部の機能を兼ね備えている必要はなく、別途角度保持部を設けてもよい。
【００３１】
さらになお、副屈曲部７ｃは副揺動部材１５に固定されていてもよいし、単に副揺動部材１５に載せられていてもよく、特に限定はない。
さらになお、リンク機構は上記の構造に限られず、副揺動部材１５を、揺動部材の倒伏に連動して揺動させることができるものであればよく、特に限定はない。
さらになお、リンク機構が副揺動部材角度保持部の機能を兼ね備えている必要はなく、別途副揺動部材角度保持部として設けてもよい。
【００３２】
さらになお、屈曲部移動部材は、上記のごときリンク機構に限られず、揺動部材とフレームの間に配置された空気圧等によって屈曲部７を支えるエアバッグなどでもよい。この場合には、エアバッグとして、その内部の空気圧が所定の圧力になったときに、各屈曲部７ａ〜７ｃが所定の角度で屈曲するような形状となるものを使用すれば、ポンプ等によってエアバッグへの空気の供給を制御すれば、屈曲部７の移動を制御することができる。
【００３３】
また、図４に示すように、主屈曲部７ａは、その長さＬ２が２０〜４５ｃｍとなるように形成されており、連結部７ｂはその長さＬ３が０〜２０ｃｍとなるように形成されているから、人の膝の部分が主屈曲部７ａと副屈曲部７ｃとの接続部分に配置され、被験者に、ひざを曲げた姿勢、つまり、椅子に座っているような姿勢を保持させることができる。そして、副屈曲部７ｃによってひざより下の部分が支持されるから、被験者に、腰を曲げた姿勢を、より楽に保持させることができる。
【００３４】
さらに、揺動部材１１の天板Ｂ１に対する揺動角度、つまり、主屈曲部７ａの基部６に対する傾斜角度Ｂは、ナット部材12a のネジ軸13a 上の位置によって変化し、０〜９０度の間で自在に調整できるように設けられている。このため、透視台の天板Ｂ１の角度Ｑに応じて、主屈曲部７ａが基部６の上面に対してなす傾斜角度Ｂを、腰の曲げ角度が最適になるように調整することができる。すると、人が屈曲部７上に座った状態となっても、照射部Ｓから見て、太ももが胃や腸と重なることを防ぐことができるから、胃や腸の正確な透視像を得ることができる。そして、このように人が屈曲部７上に座った状態となっても、基部６は、常に照射部Ｓと正対させることができるから、被験者を照射部Ｓと正対させることができ、Ｘ線等を、常に、被験者における透視撮影を行なう箇所に垂直に照射することができる。
【００３５】
とくに、主屈曲部７ａが基部６に対してなす傾斜角度Ｂが、天板Ｂ１が水平面に対してなす角度Ｑの約1.5 倍〜２倍となるように調整すれば、被験者に最も楽に腰を曲げた体位を保持させることができる。例えば、胃の排出機能検査等の消化管機能の検査であれば、角度Ｑを３０〜６０度として検査することが効果的であるから、傾斜角度Ｂを６０〜９０度に調整するのが好適である。
【００３６】
さらに、連結部７ｂは０〜９０度で揺動可能であって、揺動部材１１を揺動させたときに、天板Ｂ１に対する傾斜角度、つまり基部６の上面に対する傾斜角度Ａが傾斜角度Ｂと同じ、または傾斜角度Ｂより小さくなるように、つまり、Ａ≦Ｂとなるように構成されている。このため、傾斜角度Ｂが、例えば、６０〜９０度となるように主屈曲部７ａを屈曲させると、傾斜角度Ａが、傾斜角度Ｂと同じ、または傾斜角度Ｂより小さくかつ３０〜６０度となるように連結部７ｂを構成しておけば、人が腰を曲げた状態となって天板５に載せられているときに、基部６と連結部７ｂがなす角度が背中と腰部がなす角度に一致し、かつ連結部７ｂと主屈曲部７ａがなす角度が腰部と大腿部がなす角度に一致するから、腰を曲げた状態としたときに、連結部７ｂの上面を腰部に密着させることができ、腰を曲げた姿勢をより楽に保つことができる。
【００３７】
さらに、副揺動部材１５は、フレーム２に対して０〜９０度で揺動可能に設けられており、また、副屈曲部７ｃも主屈曲部７ａに対して０〜９０度で揺動可能に設けられている。そして、副揺動部材１５は、リンク１４によって、揺動部材１１を揺動させたときに、副屈曲部７ｃが基部６の上面に対してなす角度Ｃが、傾斜角度Ｂと同じ、または傾斜角度Ｂより小さくなるように形成されている。すると、膝の曲げ角度を、腰の曲げ角度に対して最適な角度に保持することができるから、より一層楽な姿勢で腰を曲げた姿勢を保つことができる。
【００３８】
なお、屈曲部７の上部、つまり主屈曲部７ａ、連結部７ｂおよび副屈曲部７ｃを形成する部分を、収縮性を有する柔らかい材料、例えばウレタンやポリスチレンビーズ、ポリエステル繊維、ラテックスゴム、樹脂製のエアーマット等によって形成すれば、屈曲部７を体に腰や足に密着させることができるので、体位を安定して保持させることができるし、腰や足に加わる圧力を屈曲部７が吸収するから、腰や足に加わる負担を軽減させることができる。そして、屈曲部７の上部を収縮性を有する柔らかい材料で形成しておけば、人の膝の位置が、主屈曲部７ａと副屈曲部７ｃとの接続部分からズレても、そのズレを屈曲部７の上部が変形して吸収することができるから、様々な体型の人に使用することができる。
さらになお、主屈曲部７ａの長さＬ２、および連結部７ｂの長さＬ３は、上記の範囲に限られず、人の膝の部分が主屈曲部７ａと副屈曲部７ｃとの接続部分に配置される長さであればよくとくに限定はない。
【００３９】
また、図５に示すように、透視撮影装置の透視台Ｂに、第２実施形態の体位保持具１Ｂと実質同様の構成を有する体位保持具１Ｃを設けてもよい。
【産業上の利用可能性】
【００４０】
本発明の体位保持具は、人に所定の体位を保持させることができる保持具であって、人が自己の力を使わなくても腰を曲げた状態で姿勢を保持できるものであるから、Ｘ線等を利用した透視撮影装置の透視台や手術台、診察台、処置台等に取り付けて使用することができる。
【図面の簡単な説明】
【００４１】
【図１】（Ａ）第１実施形態の体位保持具１Ａの単体側面図であり、（Ｂ）第１実施形態の体位保持具１Ａを傾斜させた透視台Ｂに取り付けた状態の説明図である。
【図２】（Ａ）第１実施形態の体位保持具１Ａの使用状態の説明図であり、（Ｂ）手すり２０を取り付けた透視台Ｂの説明図である。
【図３】第２実施形態の体位保持具１Ｂを取り付けた状態における透視撮影装置の概略説明図であって、（Ａ）は透視台Ｂを傾斜させた状態の説明図であり、（Ｂ）は透視台Ｂを水平にした状態の説明図である。
【図４】天板５の屈曲部７を屈曲させた状態の説明図である。
【図５】体位保持具１Ｃを備えた透視撮影装置の概略説明図であって、（Ａ）は透視台Ｂを傾斜させた状態の説明図であり、（Ｂ）は透視台Ｂを水平にした状態の説明図である。
【符号の説明】
【００４２】
１        体位保持具
１ｂ      腰部支持部
１ｃ      傾斜面
１ｄ      膝下保持部
２        フレーム
５        天板
６        基部
７        屈曲部
７ａ      主屈曲部
７ｂ      連結部
７ｃ      副屈曲部
１０        天板支持部
１１        揺動部材
１５        副揺動部材
１４        リンク
Ｂ        透視台
Ｂ１        天板
【図１】
2005176955.tif 000003
【図２】
2005176955.tif 000004
【図３】
2005176955.tif 000005
【図４】
2005176955.tif 000006
【図５】
2005176955.tif 000007